(57)【要約】【課題】コンテンツ要約情報が表示中である場合に、コンテンツ要約情報が新たに取得されても、現在表示されているコンテンツ要約情報に不整合が発生することを防止することができる通信装置を提供することと。【解決手段】コンテンツタイトル文字列１４０およびコンテンツ更新日時情報１４２が表示パネル５０にスクロール表示されているときに、最新のフィード情報をＵＲＬから新たに取得した場合には、まず、ＵＲＬから前回に取得されたフィード情報によって生成された表示情報が、スクロール表示に使用されているかを判定する。そして、前回に取得されたフィード情報によって生成された表示情報がスクロール表示に使用されていると判定した場合には、その表示情報を使用したスクロール表示が終了するまで、作成した表示情報を、表示情報記憶領域１８ｆに転送しない。【選択図】図１０
2010092291.tif 000002
【特許請求の範囲】
【請求項１】
コンテンツのタイトルとそのタイトルに関連する情報とを少なくとも含むコンテンツ要約情報のネットワーク位置情報が示す装置にアクセス可能な通信装置であって、
前記ネットワーク位置情報を複数記憶可能な位置情報記憶手段と、
その位置情報記憶手段に記憶された各ネットワーク位置情報が示す装置のそれぞれにアクセスして、前記コンテンツ要約情報を前記装置のそれぞれから取得する要約情報取得手段と、
その要約情報取得手段により取得された各コンテンツ要約情報を記憶する副記憶手段と、
その副記憶手段に記憶された各コンテンツ要約情報を転送する転送手段と、
その転送手段により転送された各コンテンツ要約情報を記憶する要約情報記憶手段と、
その要約情報記憶手段に記憶された各コンテンツ要約情報を順次切り換えて表示する表示手段と、
その表示手段に表示する１のコンテンツ要約情報を決定する決定手段と、
その決定手段により前記表示手段に表示すると決定された１のコンテンツ要約情報が前記表示手段に表示されているときに、その表示されている１のコンテンツ要約情報のネットワーク位置情報が示す装置にアクセスして前記要約情報取得手段により最新のコンテンツ要約情報が取得されて前記副記憶手段に記憶された場合、その記憶された前記最新のコンテンツ要約情報が前記転送手段により前記要約情報記憶手段へ転送されることを禁止する転送禁止手段とを備えていることを特徴とする通信装置。
【請求項２】
前記転送禁止手段は、
前記最新のコンテンツ要約情報が前記転送手段により転送されることで、前記要約情報記憶手段に記憶された各コンテンツ要約情報が前記最新のコンテンツ要約情報に更新されたか否かを前記コンテンツ要約情報毎に判定する更新判定手段と、
その更新判定手段により前記最新のコンテンツ要約情報に更新されていないと判定された前記コンテンツ要約情報から、前記最新のコンテンツ要約情報へ更新する１のコンテンツ要約情報を決定する更新決定手段と、
その更新決定手段により決定された前記１のコンテンツ要約情報のネットワーク位置情報が示す装置にアクセスさせ、前記要約情報取得手段に、前記最新のコンテンツ要約情報を取得させて前記副記憶手段に記憶させる制御を行う実行手段と、
その実行手段の制御により前記副記憶手段に前記最新のコンテンツ要約情報が記憶された場合に、その最新のコンテンツ要約情報のネットワーク位置情報が示す装置から以前に取得された、前記要約情報記憶手段に記憶されている前記更新されていないコンテンツ要約情報が、前記決定手段の決定により前記表示手段に表示されているかを判定する未更新表示判定手段と、
その未更新表示判定手段により前記以前に取得された更新されていないコンテンツ要約情報が前記決定手段の決定により前記表示手段に表示されていると判定された場合には、前記副記憶手段に記憶された前記最新のコンテンツ要約情報が前記転送手段により前記要約情報記憶手段へ転送されることを禁止する情報転送禁止手段を備えていることを特徴とする請求項１記載の通信装置。
【請求項３】
前記未更新表示判定手段により前記以前に取得された更新されていないコンテンツ要約情報が前記表示手段に表示されていないと判定された場合には、前記副記憶手段に記憶された前記最新のコンテンツ要約情報が前記転送手段により前記要約情報記憶手段へ転送されることを許可する転送許可手段を備えていることを特徴とする請求項２記載の通信装置。
【請求項４】
前記未更新表示判定手段により前記以前に取得された更新されていないコンテンツ要約情報が前記決定手段の決定により前記表示手段に表示されていると判定された場合に、前記以前に取得された更新されていないコンテンツ要約情報の前記表示手段への表示が終了したか否かを判定する終了判定手段を備え、
前記情報転送禁止手段は、前記終了判定手段により前記以前に取得された更新されていないコンテンツ要約情報の前記表示手段への表示が終了したと判定されるまで、前記副記憶手段に記憶された前記最新のコンテンツ要約情報の前記転送手段による前記要約情報記憶手段への転送禁止を維持する禁止維持手段を備えていることを特徴とする請求項２または３に記載の通信装置。
【発明の詳細な説明】
【技術分野】
【０００１】
本発明は、通信装置に関するものである。
【背景技術】
【０００２】
様々なコンテンツがネットワーク上で公開されている。コンテンツのＵＲＬとコンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、サーバのＵＲＬにアクセスし、そのサーバからフィード情報を取得して各コンテンツのタイトルを生成し、表示するためのソフトウェアが開示されている。このソフトウェアをＰＣにインストールすると、ユーザは、コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。    
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００３】
上述した非特許文献１に開示されたソフトウェアを、プリンタ機能やスキャナ機能を有する多機能機に応用し、コンテンツのタイトルとそのコンテンツのタイトルが更新された更新日時とを多機能機の表示装置にスクロール表示させる場合には、次の問題点がある。即ち、多機能機は、フィード情報をサーバから一定時間毎に（例えば、１時間毎に）取得する処理、および、その取得したフィード情報から生成した表示用の情報に含まれるコンテンツのタイトルと更新日時とを表示装置にスクロール表示する処理を行うことで、スクロール表示するコンテンツのタイトルと更新日時とを最新のものに更新する。よって、コンテンツのタイトルと更新日時とを含む表示用の情報を使用してスクロール表示している最中に、その表示用の情報が最新の情報に更新されると、コンテンツのタイトルは、更新前の表示用の情報のものである一方、更新日時は、更新後の表示用の情報のものとなり、コンテンツのタイトルと更新日時とに不整合が発生するという問題点があった。
【０００４】
本発明は上述した問題点を解決するためになされたものであり、コンテンツのタイトルとそのタイトルに関連する情報を少なくとも含むコンテンツ要約情報が表示中である場合に、コンテンツ要約情報が新たに取得されても、現在表示されているコンテンツ要約情報に不整合が発生することを防止することができる通信装置を提供することを目的とする。
【課題を解決するための手段】
【０００５】
この目的を達成するために請求項１記載の通信装置は、コンテンツのタイトルとそのタイトルに関連する情報とを少なくとも含むコンテンツ要約情報のネットワーク位置情報が示す装置にアクセス可能なものであり、前記ネットワーク位置情報を複数記憶可能な位置情報記憶手段と、その位置情報記憶手段に記憶された各ネットワーク位置情報が示す装置のそれぞれにアクセスして、前記コンテンツ要約情報を前記装置のそれぞれから取得する要約情報取得手段と、その要約情報取得手段により取得された各コンテンツ要約情報を記憶する副記憶手段と、その副記憶手段に記憶された各コンテンツ要約情報を転送する転送手段と、その転送手段により転送された各コンテンツ要約情報を記憶する要約情報記憶手段と、その要約情報記憶手段に記憶された各コンテンツ要約情報を順次切り換えて表示する表示手段と、その表示手段に表示する１のコンテンツ要約情報を決定する決定手段と、その決定手段により前記表示手段に表示すると決定された１のコンテンツ要約情報が前記表示手段に表示されているときに、その表示されている１のコンテンツ要約情報のネットワーク位置情報が示す装置にアクセスして前記要約情報取得手段により最新のコンテンツ要約情報が取得されて前記副記憶手段に記憶された場合、その記憶された前記最新のコンテンツ要約情報が前記転送手段により前記要約情報記憶手段へ転送されることを禁止する転送禁止手段とを備えている。
【０００６】
なお、ネットワーク位置情報は、コンテンツ要約情報の位置（コンテンツ要約情報の取得先）を特定することができるあらゆる情報を含む概念である。ネットワーク位置情報の一例として、例えば、ＵＲＬ（Ｕｎｉｆｏｒｍ  Ｒｅｓｏｕｒｃｅ  Ｌｏｃａｔｏｒ）等を挙げることができる。また、タイトルは、コンテンツの全体の文字列よりも少ない文字列であって、コンテンツの内容を反映している文字列を意味している。
【０００７】
請求項２記載の通信装置は、請求項１記載の通信装置において、前記転送禁止手段は、前記最新のコンテンツ要約情報が前記転送手段により転送されることで、前記要約情報記憶手段に記憶された各コンテンツ要約情報が前記最新のコンテンツ要約情報に更新されたか否かを前記コンテンツ要約情報毎に判定する更新判定手段と、その更新判定手段により前記最新のコンテンツ要約情報に更新されていないと判定された前記コンテンツ要約情報から、前記最新のコンテンツ要約情報へ更新する１のコンテンツ要約情報を決定する更新決定手段と、その更新決定手段により決定された前記１のコンテンツ要約情報のネットワーク位置情報が示す装置にアクセスさせ、前記要約情報取得手段に、前記最新のコンテンツ要約情報を取得させて前記副記憶手段に記憶させる制御を行う実行手段と、その実行手段の制御により前記副記憶手段に前記最新のコンテンツ要約情報が記憶された場合に、その最新のコンテンツ要約情報のネットワーク位置情報が示す装置から以前に取得された、前記要約情報記憶手段に記憶されている前記更新されていないコンテンツ要約情報が、前記決定手段の決定により前記表示手段に表示されているかを判定する未更新表示判定手段と、その未更新表示判定手段により前記以前に取得された更新されていないコンテンツ要約情報が前記決定手段の決定により前記表示手段に表示されていると判定された場合には、前記副記憶手段に記憶された前記最新のコンテンツ要約情報が前記転送手段により前記要約情報記憶手段へ転送されることを禁止する情報転送禁止手段を備えている。
【０００８】
請求項３記載の通信装置は、請求項２記載の通信装置において、前記未更新表示判定手段により前記以前に取得された更新されていないコンテンツ要約情報が前記表示手段に表示されていないと判定された場合には、前記副記憶手段に記憶された前記最新のコンテンツ要約情報が前記転送手段により前記要約情報記憶手段へ転送されることを許可する転送許可手段を備えている。
【０００９】
請求項４記載の通信装置は、請求項２または３に記載の通信装置において、前記未更新表示判定手段により前記以前に取得された更新されていないコンテンツ要約情報が前記決定手段の決定により前記表示手段に表示されていると判定された場合に、前記以前に取得された更新されていないコンテンツ要約情報の前記表示手段への表示が終了したか否かを判定する終了判定手段を備え、前記情報転送禁止手段は、前記終了判定手段により前記以前に取得された更新されていないコンテンツ要約情報の前記表示手段への表示が終了したと判定されるまで、前記副記憶手段に記憶された前記最新のコンテンツ要約情報の前記転送手段による前記要約情報記憶手段への転送禁止を維持する禁止維持手段を備えている。
【発明の効果】
【００１０】
請求項１記載の通信装置によれば、転送禁止手段は、決定手段により表示手段に表示すると決定された１のコンテンツ要約情報が表示手段に表示されているときに、その表示されている１のコンテンツ要約情報のネットワーク位置情報が示す装置にアクセスして要約情報取得手段により最新のコンテンツ要約情報が取得されて副記憶手段に記憶された場合、その記憶された最新のコンテンツ要約情報が転送手段により要約情報記憶手段へ転送されることを禁止する。つまり、転送禁止手段は、決定手段により決定された１のコンテンツ要約情報が表示手段に表示されていれば、その表示されている１のコンテンツ要約情報のネットワーク位置情報が示す装置にアクセスして取得された最新のコンテンツ要約情報が、転送手段によって要約情報記憶手段へ転送されることを禁止する。よって、現在表示されている１のコンテンツ要約情報に不整合が発生することを防止することができるという効果がある。なお、現在表示されているコンテンツ要約情報に不整合が発生するとは、現在表示されているコンテンツのタイトルと現在表示されているタイトルに関連する情報とが一致しない等の状態が発生することが例示される。
【００１１】
請求項２記載の通信装置によれば、請求項１記載の通信装置の奏する効果に加え、最新のコンテンツ要約情報が副記憶手段に記憶されたときに、その最新のコンテンツ要約情報のネットワーク位置情報が示す装置から以前に取得された更新されていないコンテンツ要約情報が決定手段の決定により表示手段に表示されていると未更新表示判定手段により判定された場合には、情報転送禁止手段は、副記憶手段に記憶された最新のコンテンツ要約情報が転送手段により要約情報記憶手段へ転送されることを禁止する。よって、現在表示されているコンテンツ要約情報に不整合が発生することを防止することができるという効果がある。
【００１２】
請求項３記載の通信装置によれば、請求項２記載の通信装置の奏する効果に加え、最新のコンテンツ要約情報が副記憶手段に記憶されたときに、その最新のコンテンツ要約情報のネットワーク位置情報が示す装置から以前に取得された更新されていないコンテンツ要約情報が決定手段の決定により表示手段に表示されていないと未更新表示判定手段により判定された場合には、転送許可手段は、副記憶手段に記憶された最新のコンテンツ要約情報が転送手段によって要約情報記憶手段へ転送されることを許可する。つまり、転送許可手段は、最新のコンテンツ要約情報のネットワーク位置情報が示す装置から以前に取得された更新されていないコンテンツ要約情報が表示手段に表示されていなければ、最新のコンテンツ要約情報が転送手段によって要約情報記憶手段へ転送されることを許可する。よって、表示手段に表示されていないコンテンツ要約情報については、最新のコンテンツ要約情報への更新を即座に行うことができるという効果がある。
【００１３】
請求項４記載の通信装置によれば、請求項２または３に記載の通信装置の奏する効果に加え、最新のコンテンツ要約情報が副記憶手段に記憶されたときに、その最新のコンテンツ要約情報のネットワーク位置情報が示す装置から以前に取得された更新されていないコンテンツ要約情報が決定手段の決定により表示手段に表示されていると未更新表示判定手段によって判定された場合には、禁止維持手段は、その表示が終了したと終了判定手段により判定されるまで、最新のコンテンツ要約情報の転送手段による要約情報記憶手段への転送禁止を維持する。よって、現在表示されているコンテンツ要約情報が最新のコンテンツ要約情報に更新されることで、現在表示されているコンテンツ要約情報に不整合が発生することを確実に防止することができるという効果がある。
【発明を実施するための最良の形態】
【００１４】
以下、本発明の好ましい実施形態について、添付図面を参照して説明する。図１は、本発明の一実施形態における多機能機システム２の概略を示した図である。多機能機システム２は、多機能機１０と複数のＰＣ７０，７１と複数のコンテンツ提供サーバ９０，９１とを有している。なお、図１では、１つの多機能機１０と２つのＰＣ７０，７１と２つのコンテンツ提供サーバ９０，９１とを図示しているが、これらの数は適宜変更することができる。
【００１５】
なお、本実施形態の多機能機１０では、各コンテンツ提供サーバ９０，９１が公開するサイト（具体的には、サイトの位置情報を示すＵＲＬ（Ｕｎｉｆｏｒｍ  Ｒｅｓｏｕｒｃｅ  Ｌｏｃａｔｏｒ））から取得したフィード情報を使用して、表示パネル５０にスクロール表示するコンテンツタイトル文字列１４０およびコンテンツ更新日時情報１４２を含む表示情報を生成する。よって、フィード情報を更新して、表示情報を更新すると、それに伴い、表示パネル５０にスクロール表示されるコンテンツタイトル文字列１４０およびコンテンツ更新日時情報１４２も更新される。
【００１６】
ここで、本実施形態の多機能機１０によれば、表示情報記憶領域１８ｆに記憶された表示情報を使用して、コンテンツタイトル文字列１４０およびコンテンツ更新日時情報１４２が表示パネル５０にスクロール表示されているときに、最新のフィード情報をＵＲＬから新たに取得した場合には、まず、最新のフィード情報を取得したＵＲＬから前回に取得されたフィード情報によって生成された表示情報が、スクロール表示に使用されているかを判定する。そして、前回に取得されたフィード情報によって生成された表示情報がスクロール表示に使用されていると判定した場合には、その表示情報を使用したスクロール表示が終了するまで、フィード情報記憶領域１８ｄに記憶された最新の展開情報を用いて作成した表示情報を、表示情報記憶領域１８ｆに転送しない（表示情報記憶領域１８ｆに記憶しない）。よって、現在スクロール表示中のコンテンツタイトル文字列１４０およびコンテンツ更新日時情報１４２に情報の不整合が発生することを防止することができる。
【００１７】
なお、スクロール表示中のコンテンツタイトル文字列１４０およびコンテンツ更新日時情報１４２に情報の不整合が発生するとは、コンテンツタイトル文字列１４０が最新の情報であるにも拘らず、コンテンツ更新日時情報１４２が古い情報である場合や、コンテンツ更新日時情報１４２が最新の情報であるにも拘らず、コンテンツタイトル文字列１４０が古い情報である場合等が例示される。
【００１８】
ここで、本実施形態におけるフィード情報とは、後述する表示情報１１２が生成される基本となる情報である。そして、表示情報１１２とは、後述するサイト情報１２０（図５参照）および更新コンテンツ情報１３２（図５参照）を含む情報である。更に、更新コンテンツ情報１３２は、コンテンツタイトル文字列１４０およびコンテンツ更新日時情報１４２を含んでいる。
【００１９】
図１に示す多機能機１０は、印刷機能、スキャナ機能、電話機能等を実現する通信装置であり、ＬＡＮ回線４に接続されている。各ＰＣ７０，７１は、多機能機１０の印刷機能やスキャナ機能を制御する制御装置であり、ＬＡＮ回線４に接続されている。ＬＡＮ回線４は、ルータ６を介してインターネット８に接続されている。各コンテンツ提供サーバ９０，９１は、インターネット８に接続されている。
【００２０】
本実施形態では、コンテンツ提供サーバ９０が１つのサイト（ＵＲＬ）を公開しており、コンテンツ提供サーバ９１が他の１つのサイト（ＵＲＬ）を公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２１】
次に、ＰＣ７０の内部構成について説明する。なお、ＰＣ７１は、ＰＣ７０と同様の内部構成であるので、その説明を省略する。ＰＣ７０は、ＣＰＵ７２とハードディスク７４と表示部８２と操作部８４を主に有する。なお、図１には示されていないが、ＰＣ７０は、ＬＡＮ回線４に接続されているネットワークインターフェイスも有している。
【００２２】
ＣＰＵ７２は、演算装置であり、基本プログラム７６および常駐ソフト７８に従って処理を実行する。ＣＰＵ７２が実行する処理については、図６を用いて後に詳しく説明する。ハードディスク７４は、基本プログラム７６および常駐ソフト７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。
【００２３】
常駐ソフト７８は、多機能機１０に、ＰＣ７０が起動したことを示すＰＣ起動通知を送信したり、多機能機１０からの指示に従って動作したりするためのプログラムである。ＰＣ起動通知については、後で詳しく説明する。常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。
【００２４】
ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容の利用については、後で詳しく説明する。
【００２５】
表示部８２は、様々な情報を表示することができる。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００２６】
次に、図２を参照して多機能機１０について説明する。図２は、多機能機１０の電気的構成を示すブロック図である。多機能機１０は、制御部１２と表示パネル５０とキーパッド５２と印刷部５４とスキャン部５６とＦＡＸ部５８とネットワークインターフェイス（以後、「ネットワークＩ／Ｆ」と称す）６０とＰＳＴＮインターフェイス（以後、「ＰＳＴＮ  Ｉ／Ｆ」と称す）６２とスピーカ６４とを主に有する。なお、制御部１２と各部５０〜６４とは、バスライン６６を介して互いに接続されている。制御部１２は、ＣＰＵ１４とＲＯＭ１６とＲＡＭ１８とＮＶＲＡＭ２０を主に有する。
【００２７】
ＣＰＵ１４は、演算装置であり、ＲＯＭ１６に記憶されている各プログラム１６ａ〜１６ｃに従って処理を実行する。ＣＰＵ１４が実行する処理については、図７〜図１０を用いて後に詳しく説明する。ＲＯＭ１６は、各プログラム１６ａ〜１６ｃを記憶する書き込み不能な不揮発性のメモリである。
【００２８】
基本機能プログラム１６ａは、多機能機１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等の各部５０〜６４を制御するためのプログラムを含んでいる。インターネット接続プログラム１６ｂは、インターネット８に接続するためのプログラムである。フィード情報利用プログラム１６ｃは、コンテンツ提供サーバ９０，９２から取得され、後述するフィード情報記憶領域１８ｄに記憶されたフィード情報を解析し、表示パネル５０で表示するための情報（以下、「表示情報」と称す）を作成し、その表示情報を表示する処理や、更には、各コンテンツ提供サーバ９０，９１が有するフィード情報の取得先を示すＵＲＬの設定を行う処理が含まれた図７に示すメイン処理を実行するためのプログラムである。
【００２９】
ＲＡＭ１８は、各記憶領域１８ａ〜１８ｆを有する読み書き可能な揮発性のメモリである。基本機能ワーク領域１８ａは、基本機能プログラム１６ａに従って処理が実行される過程で生成される各種データを記憶するための記憶領域である。フィード情報解析ワーク領域１８ｂは、フィード情報利用プログラム１６ｃに従って処理が実行される過程で作成される各種データを記憶するための記憶領域である。
【００３０】
テンポラリ記憶領域１８ｃは、各コンテンツ提供サーバ９０，９１から取得した最新のフィード情報とそのフィード情報の取得先を示すＵＲＬとを対応付けて記憶するための記憶領域である。このテンポラリ記憶領域１８ｃに記憶された最新のフィード情報は、ＣＰＵ１４によりテキストデータに展開された後、各ＵＲＬ毎に、フィード情報記憶領域１８ｄに転送されて記憶される。
【００３１】
フィード情報記憶領域１８ｄは、前述の通り、テンポラリ記憶領域１８ｄに記憶されたフィード情報がテキストデータに展開された後、その展開された情報（以後、「展開情報」と称す）が転送された場合に、その転送された展開情報を、各ＵＲＬ毎に記憶する記憶領域である。なお、ＣＰＵ１４は、このフィード情報記憶領域１８ｄに記憶された最新の展開情報を用いて、後述する表示情報記憶領域１８ｆに記憶される表示情報を作成する（更新する）。フィード情報記憶領域１８ｄの記憶内容については、図４を用いて後述する。
【００３２】
なお、後述する表示情報記憶領域１８ｆに記憶された表示情報を使用して、コンテンツタイトル文字列１４０およびコンテンツ更新日時情報１４２が表示パネル５０にスクロール表示されているときに、最新のフィード情報をＵＲＬから新たに取得した場合には、ＣＰＵ１４は、まず、最新のフィード情報を取得したＵＲＬから前回に取得されたフィード情報によって生成された表示情報が、スクロール表示に使用されているかを判定する。そして、前回に取得されたフィード情報によって生成された表示情報がスクロール表示に使用されていると判定した場合には、その表示情報を使用したスクロール表示が終了するまで、ＣＰＵ１４は、フィード情報記憶領域１８ｄに記憶された最新の展開情報を用いて作成した表示情報を、後述する表示情報記憶領域１８ｆに転送しない（表示情報記憶領域１８ｆに記憶しない）。よって、現在スクロール表示中のコンテンツタイトル文字列１４０およびコンテンツ更新日時情報１４２に情報の不整合が発生することを防止することができる。
【００３３】
更新フラグ１８ｅは、最新のフィード情報が取得され、その最新のフィード情報を展開した展開情報を用いて作成した表示情報が、後述する表示情報記憶領域１８ｆに転送されて記憶された場合に、オフとなる一方、その転送が未完了である場合にオンに設定されるフラグである。この更新フラグ１８ｅは、フィード情報の取得先を示すＵＲＬの数に応じて、具体的には、後述するＵＲＬ記憶領域２０ｂに記憶可能なＵＲＬの数に応じて、設けられている。
【００３４】
本実施形態においては、ＵＲＬ記憶領域２０ｂには、０（ゼロ）〜ｎ−１のｎ個（ｎは１以上の整数）、ＵＲＬが記憶可能であるので、この数に応じて、更新フラグ１８ｅには、更新０（ゼロ）フラグ１８ｅ１〜更新ｎ−１フラグ１８ｅｎ−１のｎ個のフラグが設けられている。そして、更新０（ゼロ）フラグ１８ｅ１〜更新ｎ−１フラグ１８ｅｎ−１は、ＵＲＬ記憶領域２０ｂにＵＲＬが記憶された分だけ、使用される。例えば、ＵＲＬ記憶領域２０ｂに２つのＵＲＬが記憶されていれば、更新０フラグ１８ｅ１および更新１フラグ１８ｅ２が使用され、その他の更新フラグ（更新２フラグ１８ｅ３〜更新ｎ−１フラグ１８ｅｎ−１）は不使用となる。
【００３５】
表示情報記憶領域１８ｆは、フィード情報利用プログラム１６ｃに従い、フィード情報記憶領域１８ｄに記憶される最新の展開情報を利用して作成された表示情報を記憶するための記憶領域である。
【００３６】
ＮＶＲＡＭ２０は、各記憶領域２０ａ〜２０ｂを有する書き換え可能な不揮発性のメモリである。基本機能パラメータ記憶領域２０ａは、ＣＰＵ１４が、基本機能プログラム１６ａに従って処理を実行する際に利用される各種パラメータ（例えば印刷機能における設定、スキャン機能における設定等）を記憶するための記憶領域である。ＵＲＬ記憶領域２０ｂは、各コンテンツ提供サーバ９０，９１が有するフィード情報の取得先を示すＵＲＬを記憶するための記憶領域である。
【００３７】
例えば、ユーザは、各コンテンツ提供サーバ９０，９１からのコンテンツ提供サービスを受けるためのＵＲＬ設定を行なう必要がある。このＵＲＬ設定は、図８で後述するサイト設定処理が実行された場合に、表示パネル５０に表示されるサイト設定画面で行うことができる。サイト設定画面で、コンテンツ提供サーバ９０，９１のフィード情報の取得先を示すＵＲＬの設定が行われると、その設定されたＵＲＬがＵＲＬ記憶領域２０ｂに記憶される。なお、サイト設定画面については、図３（ａ）を用いて後述する。
【００３８】
なお、ＵＲＬ設定は、サイト設定画面以外にも、ＰＣ７０，７１を利用して設定してもよい。例えば、ユーザがＰＣ７０を利用してコンテンツ提供サーバ９０からのコンテンツ提供サービスを受けるためのＵＲＬ設定を行なった場合、コンテンツ提供サーバ９０のフィード情報の取得先を示すＵＲＬがＰＣ７０から多機能機１０に送信される。これにより、コンテンツ提供サーバ９０のフィード情報の取得先を示すＵＲＬがＵＲＬ記憶領域２０ｂに記憶されるように構成しても良い。
【００３９】
表示パネル５０は、様々な情報を表示する表示装置である。表示パネル５０の表示画面は、ＰＣ７０，７１が有する表示画面より小さい。なお、表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であると共に、インターネット８にアクセス可能である。ＰＳＴＮインターフェイス６２は、図示しないＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。スピーカ６４は、電話機能による着信が行われた場合に、鳴動音を出力する放音装置である。
【００４０】
次に、図３を参照して、サイト設定画面およびＵＲＬ記憶領域２０ｂ（図２参照）の記憶内容について説明する。図３（ａ）は、表示パネル５０に表示されるサイト設定画面を示した図である。図３（ｂ）は、ＵＲＬ記憶領域２０ｂの記憶内容の一例を示した図である。
【００４１】
まず、図３（ａ）について説明する。図３（ａ）に示すように、サイト設定画面には、各コンテンツ提供サーバ９０，９１からのコンテンツ提供サービスを受けるための接続先を示すＵＲＬを入力する領域、即ち、入力欄がｎ個（入力欄５０ａ１〜５０ａｎ）、設けられている。この入力欄５０ａ１〜５０ａｎのいずれかを選択し、キーパッド５２を使用して接続先を示すＵＲＬを入力すると、その入力されたＵＲＬが選択した入力欄に表示される。そして、ＯＫボタン５０ｄが押下されると、入力欄５０ａ１〜５０ａｎに入力されたＵＲＬがＵＲＬ記憶領域２０ｂに記憶される。なお、キャンセルボタン５０ｅが押下されると、サイト設定画面が表示パネル５０から消去され、ＵＲＬ記憶領域２０ｂへの記憶は行われない。
【００４２】
次に、図３（ｂ）について説明する。上述の通り、ＵＲＬ記憶領域２０ｂは、各コンテンツ提供サーバ９０，９１のフィード情報の取得先を示すＵＲＬ１０２を記憶できる。換言すると、ＵＲＬ記憶領域２０ｂは、各サイトのフィード情報の取得先を示すＵＲＬ１０２を記憶できる。図３（ｂ）の例では、ＵＲＬ記憶領域２０ｂには、ｎ個のＵＲＬ１０２が記憶されている。各ＵＲＬ１０２には、識別番号１００が付与されている。本実施形態では、識別番号１００を符号「ｉ」で表現する。
【００４３】
次に、図４を用いて、フィード情報記憶領域１８ｄの記憶内容について説明する。図４は、フィード情報記憶領域１８ｄに記憶された展開情報の内容の一例を示した図である。
【００４４】
図４に示すように、フィード情報記憶領域１８ｄに記憶された展開情報には、それぞれ、ＵＲＬ記憶領域２０ｂに記憶された各ＵＲＬ１０２に付与された符号（識別情報１００）が対応付けられている。つまり、フィード情報記憶領域１８ｄには、ＵＲＬ記憶領域２０ｂに記憶された各ＵＲＬ１０２（即ち、符号）に対応付けて展開情報が記憶されている。よって、ＣＰＵ１４は、展開情報が、どのＵＲＬに対応しているのかを検出することができる。例えば、符号「１」には、展開１情報が対応付けられており、符号「１」は、ＵＲＬが「ｈｔｔｐ：／／ｗｗｗ．ｅｘａｍｐｌｅ１．ｃｏｍ」であることを示している（図３（ｂ）参照）。よって、ＣＰＵ１４は、「ｈｔｔｐ：／／ｗｗｗ．ｅｘａｍｐｌｅ１．ｃｏｍ」から取得されたフィード情報が展開された情報は、展開１情報であることを検出することができる。
【００４５】
次に、図５を参照して、ＲＡＭ１８の表示情報記憶領域１８ｆの記憶内容について説明する。図５は、表示情報記憶領域１８ｆの記憶内容の一例を示した図である。表示情報記憶領域１８ｆは、ＵＲＬ記憶領域２０ｂに記憶されているＵＲＬ毎に表示情報１１２を記憶できる。換言すると、表示情報記憶領域１８ｆは、ＵＲＬ記憶領域２０ｂに記憶されているサイト（ＵＲＬ）毎に表示情報１１２を記憶できる。
【００４６】
上述したように、ＵＲＬ記憶領域２０ｂにはｎ個（ｎは１以上の整数）のＵＲＬ１０２が記憶されている（図３参照）。このために、表示情報記憶領域１８ｆにもｎ個の表示情報１１２が記憶されている。各表示情報１１２には、識別番号１１０が付与されている。本実施形態では、識別番号１１０を符号「ｉ」で表現する。なお、識別情報１１０と上述した識別情報１００は、同一の値である。
【００４７】
次に、個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。フィード更新日時情報１２４は、コンテンツ提供サーバにおいてフィード情報が更新された日時（最新の更新日時）に関する情報である。
【００４８】
表示情報１１２は、更新コンテンツ情報１３２を含んでいる。更新コンテンツ情報１３２の数は、サイト（ＵＲＬ）が有するコンテンツの数に等しい。例えば、図５では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００４９】
各更新コンテンツ情報１３２は、コンテンツタイトル文字列１４０とコンテンツ更新日時情報１４２とコンテンツ要約文字列１４４とコンテンツＵＲＬ１４６を含んでいる。上述の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツ更新日時情報１４２は、コンテンツ提供サーバにおいてコンテンツが更新された日時（最新の更新日時）に関する情報である。
【００５０】
コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。なお、本実施形態においては、多機能機１０は、表示パネル５０に、上述したコンテンツタイトル文字列１４０およびコンテンツ更新日時情報１４２を少なくともスクロール表示する。ただし、多機能機１０は、表示パネル５０に、更に、コンテンツ要約文字列１４４やコンテンツＵＲＬ１４６を表示することも可能である。
【００５１】
次に、図６を参照して、ＰＣ７０のＣＰＵ７２によって実行されるＰＣメイン処理について説明する。図６は、ＰＣ７０により実行されるＰＣメイン処理を示したフローチャートである。このＰＣメイン処理は、ＰＣ７０が起動（電源オン）されてオペレーションソフト（ＯＳ）が起動し、その後にＯＳによって常駐ソフト７８（図１参照）が起動された場合に、常駐ソフト７８により実行開始される処理である。なお、ＰＣ７１においても、ＰＣメイン処理が実行されるが、その処理はＰＣ７０と同一であるので、説明を省略する。
【００５２】
ＰＣメイン処理では、まず、ＣＰＵ７２は、設定ファイル８０（図１参照）の記憶内容を読み出して（Ｓ１）、設定ファイル８０に情報が記憶されているか否かを判定する（Ｓ２）。本実施形態では、ユーザの入力により設定ファイル８０に予め多機能機１０のＩＰアドレスが記憶されている（多機能機１０を識別することができる情報であればよく、ノード名等でも可能であり、ＩＰアドレスに限定されない）。この場合、ＣＰＵ７２は、設定ファイル８０に情報が記憶されていると判定し（Ｓ２：Ｙｅｓ）、Ｓ３の処理に進む。一方、設定ファイル８０に情報が記憶されていない場合には、ＣＰＵ７２は、設定ファイル８０に情報が記憶されていないと判定し（Ｓ２：Ｎｏ）、メイン処理を終了する。
【００５３】
Ｓ３の処理では、ＣＰＵ７２は、多機能機１０にＰＣ起動通知を送信する（Ｓ３）。ＰＣ起動通知は、ＰＣ７０のＩＰアドレスやホスト名を含んでいる。その後、ＣＰＵ７２は、予め決められているポート番号を持つ受信ポートを開く（Ｓ４）。そして、ＣＰＵ７２は、何らかのイベントが発生するまで待機する（Ｓ５）。イベントが発生するとＳ６の処理に進む。Ｓ６の処理では、ＣＰＵ７２は、多機能機１０からのＵＲＬ通知が受信されたか否かを判定する（Ｓ６）。
【００５４】
なお、本実施形態においては、多機能機１０の表示パネル５０に、コンテンツタイトル文字列１４０およびコンテンツ更新日時情報１４２が表示されている場合に、ユーザが表示パネル５０に触れ、表示されたコンテンツが選択されたと多機能機１０のＣＰＵ１４で判定されると、多機能機１０は、ＰＣ起動通知を受信したＰＣのうち、ユーザが予め選択したＰＣへＵＲＬ通知を送信する。
【００５５】
Ｓ６の処理で、ＣＰＵ７２は、多機能機１０からのＵＲＬ通知が受信されたと判定した場合には（Ｓ６：Ｙｅｓ）、ブラウザプログラムを起動し、受信されたＵＲＬにアクセスする（Ｓ７）。これにより、多機能機１０からのＵＲＬ通知に対応するコンテンツが表示部８２（図１参照）に表示される（Ｓ７）。よって、ユーザは、表示パネル５０より表示画面が大きい表示部８２で、快適にコンテンツを見ることができる。
【００５６】
一方、Ｓ６の処理で、ＣＰＵ７２は、多機能機１０からのＵＲＬ通知が受信されていないと判定した場合には（Ｓ６：Ｎｏ）、常駐ソフト７８のプログラムを停止することがユーザによって指示されたか否かを判断する（Ｓ８）。
【００５７】
例えば、ユーザは、操作部８４に所定の操作を加えることによって、停止の指示をＰＣ７０に入力することができる。この場合、ＣＰＵ７２は、常駐ソフト７８のプログラムを停止することがユーザによって指示されたと判定し（Ｓ８：Ｙｅｓ）、ＰＣメイン処理を終了する。一方、ＣＰＵ７２は、常駐ソフト７８のプログラムを停止することがユーザによって指示されていないと判定した場合には（Ｓ８：Ｎｏ）、イベントに応じた処理を実行し（Ｓ９）、次のイベントが発生するまで待機する（Ｓ５）。
【００５８】
次に、図７〜図１０を参照して、多機能機１０のＣＰＵ１４によって実行される処理について説明する。まずは、図７を参照して、多機能機１０のＣＰＵ１４によって実行されるメイン処理について説明する。図７は、多機能機１０により実行されるメイン処理を示したフローチャートである。メイン処理は、多機能機１０の電源がオンされた場合に実行が開始される。そして、このメイン処理は、電源オンの期間中、繰り返し実行される。
【００５９】
メイン処理では、まず、ＣＰＵ１４は、各コンテンツ提供サーバ９０，９１からのコンテンツ提供サービスを受けるためのＵＲＬ設定が、ユーザのキーパッド５２の操作により指示されたか否かを判定する（Ｓ２１）。なお、ユーザのキーパット５２の操作により、ＵＲＬ設定が指示されると、その指示がＲＡＭ１８の所定領域に記憶される。ＣＰＵ１４は、ＲＡＭ１８の所定領域に上述の指示が記憶されているか否かを判定することにより、Ｓ２１の処理で、ＵＲＬ設定が指示されたか否かを判定する。
【００６０】
Ｓ２１の処理で、ＣＰＵ１４は、ＵＲＬ設定が指示されたと判定した場合には（Ｓ２１：Ｙｅｓ）、サイト設定処理（Ｓ２２）を実行する。一方、ＣＰＵ１４は、ＵＲＬ設定が指示されていないと判定した場合には（Ｓ２１：Ｎｏ）、スクロール表示処理（Ｓ２３）を実行する。なお、ＣＰＵ１４は、Ｓ２２またはＳ２３の処理後、このメイン処理を終了する。
【００６１】
次に、図８を参照して、各コンテンツ提供サーバ９０，９１からのコンテンツ提供サービスを受けるためのＵＲＬの設定を行うサイト設定処理について説明する。図８は、多機能機１０のＣＰＵ１４によって実行されるサイト設定処理を示したフローチャートである。サイト設定処理では、まず、ＣＰＵ１４は、サイト設定画面（図３（ａ）参照）を、表示パネル５０に表示する（Ｓ３１）。サイト設定画面が表示パネル５０に表示されると、ユーザは、各入力欄５０ａ１〜５０ａｎに、各コンテンツ提供サーバ９０，９１からのコンテンツ提供サービスを受けるためのＵＲＬ（各コンテンツ提供サーバ９０，９１が有するフィード情報の取得先を示すＵＲＬ）をキーパッド５２を使用して入力することができる。
【００６２】
その後、ＣＰＵ１４は、ＯＫボタン５０ｄが押下されたかを判定する（Ｓ３２）。ＣＰＵ１４は、ＯＫボタン５０ｄが押下されたと判定した場合には（Ｓ３２：Ｙｅｓ）、各入力欄５０ａ１〜５０ａｎに入力されたＵＲＬを、ＵＲＬ記憶領域２０ｂに記憶する（Ｓ３３）。その後、このサイト設定処理を終了する。一方、ＣＰＵ１４は、ＯＫボタン５０ｄが押下されていないと判定した場合には（Ｓ３２：Ｎｏ）、キャンセルボタン５０ｅが押下されたかを判定する（Ｓ３４）。ＣＰＵ１４は、キャンセルボタン５０ｅが押下されていないと判定すると（Ｓ３４：Ｎｏ）、Ｓ３２の処理へ戻る。
【００６３】
一方、Ｓ３４の処理で、ＣＰＵ１４は、キャンセルボタン５０ｅが押下されたと判定すると（Ｓ３４：Ｙｅｓ）、このサイト設定処理を終了する。なお、サイト設定処理が終了すると、サイト設定画面が表示パネル５０から消去される。
【００６４】
次に、図９を参照して、コンテンツタイトル文字列１４０およびコンテンツ更新日時情報１４２を表示パネル５０に表示するスクロール表示処理について説明する。図９は、多機能機１０のＣＰＵ１４によって実行されるスクロール表示処理を示したフローチャートである。
【００６５】
スクロール表示処理では、まず、ＣＰＵ１４は、ＵＲＬ記憶領域２０ｂの記憶内容を参照する（Ｓ４１）。そして、ＣＰＵ１４は、フィード情報を取得するＵＲＬがＵＲＬ記憶領域２０ｂに記憶されているか否かを判定する（Ｓ４２）。ＣＰＵ１４は、フィード情報を取得するＵＲＬがＵＲＬ記憶領域２０ｂに記憶されていないと判定すると（Ｓ４２：Ｎｏ）、フィード情報が取得されておらず、コンテンツタイトル文字列１４０およびコンテンツ更新日時情報１４２を表示パネル５０に表示することができないので、このスクロール表示処理を終了する。
【００６６】
一方、Ｓ４２の処理で、ＣＰＵ１４は、フィード情報を取得するＵＲＬがＵＲＬ記憶領域２０ｂに記憶されていると判定すると（Ｓ４２：Ｙｅｓ）、表示パネル５０にスクロール表示するＵＲＬを決定する（Ｓ４３）。具体的には、ＣＰＵ１４は、Ｓ４３の処理で、表示情報記憶領域１８ｆに記憶されている識別番号１１０である符号「ｉ」（図５参照）の値を決定して、スクロール表示するＵＲＬを決定している。なお、本実施形態においては、ＣＰＵ１４は、Ｓ４３の処理で、表示情報記憶領域１８ｆに記憶された識別番号１１０（符号）が最小値であるＵＲＬ、つまり、符号が「０」であるＵＲＬを最初にスクロール表示するＵＲＬに決定する。
【００６７】
そして、ＣＰＵ１４は、Ｓ４３の処理で決定したＵＲＬのスクロール変数を「表示中」に設定し、その他のＵＲＬのスクロール変数を「完了」に設定する（Ｓ４４）。なお、スクロール変数は、ＵＲＬ記憶領域２０ｂに記憶された各ＵＲＬ毎に設けられており、スクロール変数が「表示中」に設定されたＵＲＬについては、そのＵＲＬに対応する表示情報１１２に含まれるコンテンツタイトル文字列１４０およびコンテンツ更新日時情報１４２が表示パネル５０でスクロール表示されていることを示している。一方、スクロール変数が「完了」に設定されたＵＲＬについては、そのＵＲＬに対応する表示情報１１２に含まれるコンテンツタイトル文字列１４０およびコンテンツ更新日時情報１４２はスクロール表示されていないことを示している。このスクロール変数の設定により、ＣＰＵ１４は、表示パネル５０でスクロール表示されているコンテンツタイトル文字列１４０およびコンテンツ更新日時情報１４２がいずれのＵＲＬのものであるかを検出することができる。なお、このスクロール変数は、ＲＡＭ１８の所定領域に記憶される。
【００６８】
Ｓ４４の処理後、ＣＰＵ１４は、Ｓ４３の処理で決定されたＵＲＬに対応する表示情報１１２に含まれる更新コンテンツ情報１３２を表示情報記憶領域１８ｆから取得する（Ｓ４５）。そして、ＣＰＵ１４は、取得した更新コンテンツ情報１３２を用いて、コンテンツタイトル文字列１４０およびコンテンツ更新日時情報１４２を表示パネル５０にスクロール表示する（Ｓ４６）。なお、Ｓ４５の処理においては、ＣＰＵ１４は、表示情報記憶領域１８ｆから、識別番号１３０である符号「ｊ」（図５参照）が「０」から「ｍ−１」の更新コンテンツ情報１３２を取得する。そして、Ｓ４６の処理において、ＣＰＵ１４は、符号「ｊ」が「０」のコンテンツタイトル文字列１４０およびコンテンツ更新日時情報１４２から順番に、符号「ｍ−１」のコンテンツタイトル文字列１４０およびコンテンツ更新日時情報１４２まで、表示パネル５０に順次、スクロール表示する。
【００６９】
Ｓ４６の処理後、ＣＰＵ１４は、表示パネル５０へのスクロール表示が終了したＵＲＬのスクロール変数を「完了」に設定する（Ｓ４７）。その後、ＣＰＵ１４は、ＵＲＬ記憶領域２０ｂに記憶されたＵＲＬのうち、未だ、スクロール変数が「表示中」に切り換えられていないＵＲＬ、即ち、スクロール表示を行っていないＵＲＬが存在するか否かを判定する（Ｓ４８）。具体的には、Ｓ４８の処理においては、ＣＰＵ１４は、Ｓ４３の処理で決定された符号「ｉ」（図５参照）の値が最大値であるｎ−１になったか否かで、スクロール表示を行っていないＵＲＬが存在するか否かを判定している。つまり、Ｓ４８の処理では、ＣＰＵ１４は、Ｓ４３の処理で決定された符号「ｉ」がｎ−１となっていなければ、ＵＲＬ記憶領域２０ｂに記憶されたＵＲＬのうち、未だ、スクロール変数が「表示中」に切り換えられていないＵＲＬが存在すると判定する。一方、Ｓ４８の処理では、ＣＰＵ１４は、Ｓ４３の処理で決定された符号「ｉ」がｎ−１となっていれば、ＵＲＬ記憶領域２０ｂに記憶されたＵＲＬの全てのスクロール変数が、「表示中」に切換られたと判定する。
【００７０】
Ｓ４８の処理で、ＣＰＵ１４は、ＵＲＬ記憶領域２０ｂに記憶されたＵＲＬのうち、未だ、スクロール変数が「表示中」に切り換えられていないＵＲＬが存在すると判定した場合には（Ｓ４８：Ｙｅｓ）、Ｓ４３の処理へ戻り、スクロール表示するＵＲＬを、ＵＲＬ記憶領域２０ｂに記憶された他のＵＲＬに決定する（Ｓ４３）。このＳ４３の処理では、ＣＰＵ１４は、符号「ｉ」（図５参照）の値を１加算して、スクロール表示するＵＲＬを他のＵＲＬに決定する。
【００７１】
一方、Ｓ４８の処理で、ＣＰＵ１４は、ＵＲＬ記憶領域２０ｂに記憶されたＵＲＬの全てのスクロール変数が、「表示中」に切換られたと判定した場合には（Ｓ４８：Ｎｏ）、このスクロール表示処理を終了する。
【００７２】
上述したスクロール表示により、ＵＲＬ毎に、コンテンツタイトル文字列１４０およびコンテンツ更新日時情報１４２を表示パネル５０にスクロール表示することができる。
【００７３】
ここで、図１１を参照して、ＣＰＵ１４でＳ４６の処理が実行されることで実現される表示パネル５０のスクロール表示について説明する。図１１は、表示パネル５０のスクロール表示の一例を示した図である。
【００７４】
前述したＳ４６の処理が、ＣＰＵ１４により実行されると、図１１に示すように、コンテンツタイトル文字列１４０およびコンテンツ更新日時情報１４２が表示パネル５０にスクロール表示される。このスクロール表示は、本実施形態においては、１列表示されたコンテンツタイトル文字列１４０およびコンテンツ更新日時情報１４２が表示パネル５０の右端から左端へ移動していく表示である。
【００７５】
スクロール表示されるコンテンツタイトル文字列１４０およびコンテンツ更新日時情報１４２は、前述の通り、ＵＲＬ毎に、表示情報記憶領域１８ｆに記憶された識別番号１３０である符号「ｊ」が「０」から順番に、符号「ｍ−１」まで、スクロール表示される。そして、１つのＵＲＬの全てのコンテンツタイトル文字列１４０およびコンテンツ更新日時情報１４２がスクロール表示されると、次のＵＲＬの全てのコンテンツタイトル文字列１４０およびコンテンツ更新日時情報１４２がスクロール表示される。例えば、前回スクロール表示されたものが、符号「ｊ＝０」に対応するＵＲＬのコンテンツタイトル文字列１４０およびコンテンツ更新日時情報１４２であった場合には、次にスクロール表示されるものは、符号「ｊ＝１」に対応するＵＲＬのコンテンツタイトル文字列１４０およびコンテンツ更新日時情報１４２となる。
【００７６】
なお、図１１に示すように、表示パネル５０には、コンテンツタイトル文字列１４０およびコンテンツ更新日時情報１４２に加え、ボタン１６０が表示されている。このボタン１６０を操作することによって、ユーザは、機能実行の指示を多機能機１０に入力することができる。機能実行が指示されると、多機能機１０は、表示パネル５０に実行中の機能に関する情報（例えば、実行中の機能が印刷機能であれば、印刷枚数等）を表示する。
【００７７】
次に、図１０を参照して、表示情報記憶領域１８ｆに記憶された表示情報を更新することで、表示パネル５０にスクロール表示されるコンテンツタイトル文字列１４０およびコンテンツ更新日時情報１４２を更新する更新処理について説明する。図１１は、多機能機１０のＣＰＵ１４によって実行される更新処理を示したフローチャートである。
【００７８】
この更新処理は、多機能機１０の電源がオンされた場合に実行が開始される。そして、この更新処理は、電源オンの期間中、定期的に（例えば、１時間毎に）繰り返し実行されるタイマ割り込み処理である。このように、更新処理は、メイン処理内でスクロール表示処理（Ｓ２３）が実行されていても、定期的に実行されるので、表示パネル５０にコンテンツタイトル文字列１４０およびコンテンツ更新日時情報１４２が表示中である場合であっても、最新のフィード情報が取得される。しかし、更新処理では、メイン処理内でスクロール表示処理（Ｓ２３）が実行されている間に、その実行が行われても、表示中のコンテンツタイトル文字列１４０およびコンテンツ更新日時情報１４２に情報の不整合が発生することを防止する処理構成となっている。
【００７９】
更新処理では、まず、ＣＰＵ１４は、ＵＲＬ記憶領域２０ｂの記憶内容を参照する（Ｓ５１）。そして、ＣＰＵ１４は、フィード情報を取得するＵＲＬがＵＲＬ記憶領域２０ｂに記憶されているか否かを判定する（Ｓ５２）。ＣＰＵ１４は、フィード情報を取得するＵＲＬがＵＲＬ記憶領域２０ｂに記憶されていないと判定すると（Ｓ５２：Ｎｏ）、フィード情報を取得して更新することができないので、この更新処理を終了する。
【００８０】
一方、Ｓ５２の処理で、ＣＰＵ１４は、フィード情報を取得するＵＲＬがＵＲＬ記憶領域２０ｂに記憶されていると判定すると（Ｓ５２：Ｙｅｓ）、ＵＲＬ記憶領域２０ｂに記憶された各ＵＲＬに対応する各更新フラグ１８ｅ（１８ｅ１〜１８ｅｎ−１）を全てオンにする（Ｓ５３）。そして、ＣＰＵ１４は、コンテンツタイトル文字列１４０およびコンテンツ更新日時情報１４２を表示パネル５０にスクロール表示しているＵＲＬを、スクロール表示変数によって特定する（Ｓ５４）。
【００８１】
このＳ５４の処理により、ＣＰＵ１４は、スクロール表示しているＵＲＬを特定し、スクロール表示しているコンテンツタイトル文字列１４０およびコンテンツ更新日時情報１４２を含む表示情報１１２を特定することができる。このように、Ｓ５４の処理では、ＣＰＵ１４は、スクロール表示しているコンテンツタイトル文字列１４０およびコンテンツ更新日時情報１４２を含む表示情報１１２の特定を、ＵＲＬを特定することで実行している。
【００８２】
その後、ＣＰＵ１４は、Ｓ５４による特定結果と、更新フラグ１８ｅ（１８ｅ１〜１８ｅｎ−１）の状態とを参照し、更新フラグ１８ｅ（１８ｅ１〜１８ｅｎ−１）がオンであるＵＲＬのうち、スクロール表示中でないものがあるか否かを判定する（Ｓ５５）。ＣＰＵ１４は、更新フラグ１８ｅ（１８ｅ１〜１８ｅｎ−１）がオンであるＵＲＬのうち、スクロール表示中でないものは存在しないと判定した場合には（Ｓ５５：Ｎｏ）、更新フラグ１８ｅがオンであり表示情報１１２が未更新のものはあるが、その未更新の表示情報１１２に含まれるコンテンツタイトル文字列１４０およびコンテンツ更新日時情報１４２が表示パネル５０にスクロール表示中であると判定し、そのＵＲＬのスクロール表示が終了したか否かを判定する（Ｓ５７）。
【００８３】
そして、ＣＰＵ１４は、Ｓ５７の処理で、更新フラグ１８ｅがオンであり表示情報１１２が未更新であるものの、その表示情報１１２に含まれるコンテンツタイトル文字列１４０およびコンテンツ更新日時情報１４２が表示パネル５０に、未だ、スクロール表示中であると判定すると（Ｓ５７：Ｎｏ）、スクロール表示が終了するまで、Ｓ５７の処理を繰り返す。そして、ＣＰＵ１４は、スクロール表示が終了したと判定した場合には（Ｓ５７：Ｙｅｓ）、Ｓ５６の処理へ移行する。
【００８４】
一方、Ｓ５５の処理で、ＣＰＵ１４は、更新フラグ１８ｅ（１８ｅ１〜１８ｅｎ−１）がオンであるＵＲＬのうち、スクロール表示中でないものが存在すると判定した場合には（Ｓ５５：Ｙｅｓ）、更新フラグ１８ｅがオン、つまり表示情報１１２が未更新であり、且つ、その表示情報１１２に含まれるコンテンツタイトル文字列１４０およびコンテンツ更新日時情報１４２がスクロール表示に使用されていないと判定し、Ｓ５５の処理でＹｅｓと判定されたＵＲＬから、表示情報１１２を更新するＵＲＬを決定する（Ｓ５６）。このＳ５６の処理においては、ＣＰＵ１４は、表示情報記憶領域１８ｆに記憶されている識別番号１１０である符号「ｉ」（図５参照）の値を決定することで、表示情報１１２を更新するＵＲＬを決定している。
【００８５】
上述の通り、ＣＰＵ１４は、Ｓ５５の処理で、更新フラグ１８ｅがオンであり表示情報１１２が未更新のものはあるが、その未更新の表示情報１１２に含まれるコンテンツタイトル文字列１４０およびコンテンツ更新日時情報１４２が表示パネル５０にスクロール表示中であると判定した場合には、スクロール表示が終了したとＳ５７の処理で判定するまで、Ｓ５６の処理を実行しない、つまり、フィード情報の取得を行わない。よって、スクロール表示中であるコンテンツタイトル文字列１４０およびコンテンツ更新日時情報１４２を含む表示情報１１２の更新を、フィード情報を取得しないことで未然に防止することができる。
【００８６】
Ｓ５８の処理では、ＣＰＵ１４は、Ｓ５６の処理で決定した符号に対応するＵＲＬをＵＲＬ記憶領域２０ｂから特定し、その特定したＵＲＬにネットワークＩ／Ｆ６０を介して接続して、最新のフィード情報を取得した後、その最新のフィード情報をテンポラリ記憶領域１８ｃに接続したＵＲＬに対応付けて記憶する（Ｓ５８）。
【００８７】
そして、ＣＰＵ１４は、Ｓ５６の処理で決定された符号に対応するＵＲＬから取得された最新のフィード情報を、テンポラリ記憶領域１８ｃからフィード情報記憶領域１８ｄへ展開して転送し、その転送した展開情報をＵＲＬに対応させてフィード情報記憶領域１８ｄへ記憶する（Ｓ５９）。
【００８８】
Ｓ５９の処理後、ＣＰＵ１４は、フィード情報記憶領域１８ｄに記憶された展開情報を解析し、表示情報１１２を作成する（Ｓ６０）。ここで、展開情報はフィード情報をテキストデータに展開した情報であるので、図５に示されるサイト情報１２０や更新コンテンツ情報１３２を含んでいる。よって、ＣＰＵ１４は、展開情報を解析することによって、図５に示される表示情報１１２を作成することができる。
【００８９】
Ｓ６０の処理後、ＣＰＵ１４は、Ｓ５６の処理で決定した符号に対応するＵＲＬから前回に取得されたフィード情報（未更新のフィード情報）により生成された表示情報１１２に含まれるコンテンツタイトル文字列１４０およびコンテンツ更新日時情報１４２が、スクロール表示中か否かをスクロール変数により判定する（Ｓ６１）。ＣＰＵ１４は、スクロール表示中であると判定すると（Ｓ６１：Ｙｅｓ）、Ｓ５６の処理で決定した符号に対応するＵＲＬから前回に取得されたフィード情報（未更新のフィード情報）により生成された表示情報１１２に含まれるコンテンツタイトル文字列１４０およびコンテンツ更新日時情報１４２がスクロール表示されている（表示情報１１２が使用中である）と判定し、フィード情報記憶領域１８ｄに記憶された展開情報を用いて作成した表示情報を、表示情報記憶領域１８ｆに転送せず、そのスクロール表示が終了したか否かを判定する（Ｓ６２）。その後、ＣＰＵ１４は、スクロール表示が終了していないと判定すると（Ｓ６２：Ｎｏ）、スクロール表示が終了するまで、Ｓ６２の処理を繰り返し実行する。そして、ＣＰＵ１４は、スクロール表示が終了したと判定すると（Ｓ６２：Ｙｅｓ）、Ｓ６３の処理へ移行する。
【００９０】
一方、ＣＰＵ１４は、Ｓ６１の処理で、Ｓ５６の処理で決定した符号に対応するＵＲＬから前回に取得されたフィード情報（未更新のフィード情報）により生成された表示情報１１２に含まれるコンテンツタイトル文字列１４０およびコンテンツ更新日時情報１４２がスクロール表示中でないと判定すると（Ｓ６１：Ｎｏ）、フィード情報記憶領域１８ｄに記憶された展開情報を用いて作成した表示情報を、表示情報記憶領域１８ｆに転送して、表示情報記憶領域１８ｆの記憶内容を更新する（Ｓ６３）。例えば、ゼロ番目のサイトの表示情報１１２がＳ６０の処理で作成された場合、ＣＰＵ１４は、符号「ｉ＝０」に対応づけられている古い表示情報１１２をクリアし、符号「ｉ＝０」に対応づけて新しい表示情報１１２をＳ６３の処理で記憶させる。
【００９１】
上述の通り、ＣＰＵ１４は、Ｓ６１の処理で、Ｓ５６の処理で決定した符号に対応するＵＲＬから前回に取得されたフィード情報（未更新のフィード情報）により生成された表示情報１１２に含まれるコンテンツタイトル文字列１４０およびコンテンツ更新日時情報１４２が、スクロール表示中であると判定すると、Ｓ６２の処理で、スクロール表示が終了したと判定するまで、Ｓ６３の処理への移行を行わない、つまり、フィード情報記憶領域１８ｄに記憶された展開情報を用いて作成した表示情報を、表示情報記憶領域１８ｆに転送しない。よって、現在スクロール表示中のコンテンツタイトル文字列１４０およびコンテンツ更新日時情報１４２を含む未更新の表示情報が、新たに取得されたフィード情報によって生成された表示情報へ更新されることで、現在スクロール表示中のコンテンツタイトル文字列１４０およびコンテンツ更新日時情報１４２に情報の不整合が発生することを防止することができる。
【００９２】
また、ＣＰＵ１４は、Ｓ６１の処理で、Ｓ５６の処理で決定した符号に対応するＵＲＬから前回に取得されたフィード情報（未更新のフィード情報）により生成された表示情報１１２に含まれるコンテンツタイトル文字列１４０およびコンテンツ更新日時情報１４２が、スクロール表示中でないと判定すると、Ｓ６３の処理を即座に実行し、フィード情報記憶領域１８ｄに記憶された展開情報を用いて作成した表示情報を、表示情報記憶領域１８ｆに転送する。よって、コンテンツタイトル文字列１４０およびコンテンツ更新日時情報１４２を生成した未更新の表示情報がスクロール表示に使用されていない場合には、新たに取得されたフィード情報より生成された表示情報への更新を即座に行うことができる。
【００９３】
Ｓ６３の処理後、ＣＰＵ１４は、更新されたＵＲＬに対応する更新フラグ１８ｅ（１８ｅ１〜１８ｅｎ−１のいずれか）をオフする（Ｓ６４）。そして、ＣＰＵ１４は、Ｓ５３の処理でオンに設定された更新フラグ１８ｅ（１８ｅ１〜１８ｅｎ−１）は、全てオフとなったか、即ち、ＵＲＬ記憶領域２０ｂに記憶された全てのＵＲＬから最新のフィード情報が取得され、そのフィード情報により表示情報記憶領域１８ｆに記憶された表示情報１１２の更新が完了したか否かを判定する（Ｓ６５）。
【００９４】
ＣＰＵ１４は、Ｓ５３の処理でオンに設定された更新フラグ１８ｅ（１８ｅ１〜１８ｅｎ−１）が、全てオフとなっていない、即ち、ＵＲＬ記憶領域２０ｂに記憶された全てのＵＲＬから最新のフィード情報が取得されていない（表示情報記憶領域１８ｆに記憶された表示情報１１２の更新が完了していない）と判定すると（Ｓ６５：Ｎｏ）、Ｓ５４の処理へ移行する。一方、ＣＰＵ１４は、Ｓ５３の処理でオンに設定された更新フラグ１８ｅ（１８ｅ１〜１８ｅｎ−１）は、全てオフとなったと判定すると（Ｓ６５：Ｙｅｓ）、ＵＲＬ記憶領域２０ｂに記憶された全てのＵＲＬから最新のフィード情報が取得され、そのフィード情報により表示情報記憶領域１８ｆに記憶された表示情報１１２の更新が完了したと判定し、この更新表示処理を終了する。
【００９５】
上述した通り、本実施形態の多機能機１０によれば、表示情報記憶領域１８ｆに記憶された表示情報を使用して、コンテンツタイトル文字列１４０およびコンテンツ更新日時情報１４２が表示パネル５０にスクロール表示されているときに、最新のフィード情報をＵＲＬから新たに取得した場合には、まず、最新のフィード情報を取得したＵＲＬから前回に取得されたフィード情報によって生成された表示情報が、スクロール表示に使用されているかを判定する。そして、前回に取得されたフィード情報によって生成された表示情報がスクロール表示に使用されていると判定した場合には、その表示情報を使用したスクロール表示が終了するまで、フィード情報記憶領域１８ｄに記憶された最新の展開情報を用いて作成した表示情報を、表示情報記憶領域１８ｆに転送しない（表示情報記憶領域１８ｆに記憶しない）。よって、現在スクロール表示中のコンテンツタイトル文字列１４０およびコンテンツ更新日時情報１４２に情報の不整合が発生することを防止することができる。
【００９６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９７】
本実施形態の多機能機１０では、スクロール表示処理の実行により、コンテンツタイトル文字列１４０およびコンテンツ更新日時情報１４２を表示パネル５０に１行でスクロール表示させたが（図１１参照）、これに限られるものではない。即ち、コンテンツタイトル文字列１４０およびコンテンツ更新日時情報１４２がスクロール表示されている場合に、ユーザが表示パネル５０に表示されたコンテンツタイトル文字列１４０またはコンテンツ更新日時情報１４２をタッチした場合には、そのコンテンツタイトル文字列１４０およびコンテンツ更新日時情報１４２の取得先であるＵＲＬから提供された全てのコンテンツタイトル文字列１４０およびコンテンツ更新日時情報１４２を複数行にリスト形式で表示すると共に、サイトタイトル文字列１２２を固定表示するように構成しても良い。
【００９８】
上述した構成は、具体的には、次の構成にすれば良い。即ち、ユーザが表示パネル５０に表示されたコンテンツタイトル文字列１４０またはコンテンツ更新日時情報１４２をタッチすると、ＣＰＵ１４は、タッチされたコンテンツタイトル文字列１４０またはコンテンツ更新日時情報１４２の取得先であるＵＲＬに対応する全ての更新コンテンツ情報１３２と、そのＵＲＬに対応する１のサイトタイトル文字列１２２とを表示情報記憶領域１８ｆから取得する。そして、ＣＰＵ１４は、取得した全ての更新コンテンツ情報１３２から、コンテンツタイトル文字列１４０およびコンテンツ更新日時情報１４２をリストデータとして作成し、１のサイトタイトル文字列１２２と共に、表示パネル５０に表示すれば良い。
【００９９】
ここで、図１２を参照して、上述した構成により実現されるリスト形式の表示について説明する。図１２は、上述した構成により実現されるリスト形式の表示を表示パネル５０で行った場合の一例を示した図である。上述した構成により、リスト１７０が表示パネル５０に表示される。リスト１７０は、複数のコンテンツ（例えば、表示情報記憶領域１８ｆに記憶されたｍ個のコンテンツ）のそれぞれについて、当該コンテンツのコンテンツタイトル文字列１４０と当該コンテンツのコンテンツ更新日時情報１４２とを含んでいる。図１２に示すように、リスト１７０には、スポーツに関するコンテンツについて、コンテンツタイトル文字列「Ｓｐｏｒｔ・・・」とコンテンツ更新日時情報「１４：３２」とが表示されている。同様に、リスト１７０には、コンテンツタイトル文字列「Ｐｏｌｉｔｉｃｓ・・・」およびコンテンツ更新日時情報「１４：１２」と、コンテンツタイトル文字列「Ｗｅａｔｈｅｒ  Ｔｏｋｙｏ  Ｃｌｏｕｄ・・・」およびコンテンツ更新日時情報「１４：０３」と、コンテンツタイトル文字列「Ｅｃｏｎｏｍｙ・・・」およびコンテンツ更新日時情報「１４：００」とが表示されている。また、図１２に示す例では、サイトタイトル文字列１２２も、画面左上部に固定表示されている。なお、リターンボタン１７４を押下した場合には、図１１に示すスクロール表示に戻る。
【０１００】
このように、表示パネル５０にリスト１７０を表示することで、複数のコンテンツのそれぞれについて、一覧表示することができる。よって、ユーザは、ＵＲＬから取得された複数のコンテンツを短時間で確認することができる。
【０１０１】
また、本実施形態においては、各コンテンツのタイトルを表示する対象を多機能機１０としたが、これに限られるものではない。即ち、各コンテンツのタイトルを表示する対象を、スキャナ装置、プリンタ装置、或いは電話機等、表示パネル５０が搭載可能である装置としても良い。この構成の場合には、スキャナ装置、プリンタ装置、或いは電話機に設けられた表示パネル５０に、各コンテンツのタイトルを表示することができる。
【０１０２】
また、本実施形態の画像形成システム１では、多機能機１０と、ＰＣ７０，７１とは、ケーブルにて（有線にて）、互いに接続されていたが、これに限られるものではない。即ち、多機能機１０およびＰＣ７０，７１の各々に無線通信インターフェイスを設け、その無線通信インターフェイスを用いて、多機能機１０とＰＣ７０，７１とを無線通信によって電気的に接続しても良い。
【０１０３】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【０１０４】
また、本実施形態においては、多機能機１０は、ブラウザプログラムを有していなかったが、これに限られるものではなく、多機能機１０は、ブラウザプログラムを有していてもよい。この構成の場合には、多機能機１０は、コンテンツをダウンロードして表示パネル５０で表示することができる。
【図面の簡単な説明】
【０１０５】
【図１】本発明の一実施形態における多機能機システムの概略を示した図である。
【図２】多機能機の電気的構成を示すブロック図である。
【図３】（ａ）は、表示パネルに表示されるサイト設定画面を示した図であり、（ｂ）は、ＵＲＬ記憶領域の記憶内容の一例を示した図である。
【図４】フィード情報記憶領域に記憶された展開情報の内容の一例を示した図である。
【図５】表示情報記憶領域の記憶内容の一例を示した図である。
【図６】ＰＣにより実行されるＰＣメイン処理を示したフローチャートである。
【図７】多機能機により実行されるメイン処理を示したフローチャートである。
【図８】多機能機により実行されるサイト設定処理を示したフローチャートである。
【図９】多機能機により実行されるスクロール表示処理を示したフローチャートである。
【図１０】多機能機により実行される更新処理を示したフローチャートである。
【図１１】表示パネルのスクロール表示の一例を示した図である。
【図１２】表示パネルでリスト形式の表示を行った場合の一例を示した図である。
【符号の説明】
【０１０６】
１０          多機能機（通信装置の一例）
１６ｂ        インターネット接続プログラム（要約情報取得手段の一例）
１８ｄ        フィード情報記憶領域（副記憶手段の一例）
１８ｆ        表示情報記憶領域（要約情報記憶手段の一例）
２０ｂ        ＵＲＬ記憶領域（位置情報記憶手段の一例）
５０          表示パネル（表示手段の一例）
Ｓ４３        スクロール表示処理（決定手段の一例）
Ｓ５５        データ更新処理（更新判定手段の一例）
Ｓ５６        データ更新処理（更新決定手段の一例）
Ｓ５８        データ更新処理（実行手段の一例）
Ｓ６１        データ更新処理（未更新表示判定手段の一例）
Ｓ６１：Ｙｅｓ        データ更新処理（情報転送禁止手段の一部の一例、禁止維持手段の一例）
Ｓ６１：Ｎｏ          データ更新処理（転送許可手段の一例）
Ｓ６２        データ更新処理（情報転送禁止手段の一部の一例、終了判定手段の一例）
Ｓ６３        データ更新処理（転送手段の一例）
データ更新処理（転送禁止手段の一例）
【図１】
2010092291.tif 000003
【図２】
2010092291.tif 000004
【図３】
2010092291.tif 000005
【図４】
2010092291.tif 000006
【図５】
2010092291.tif 000007
【図６】
2010092291.tif 000008
【図７】
2010092291.tif 000009
【図８】
2010092291.tif 000010
【図９】
2010092291.tif 000011
【図１０】
2010092291.tif 000012
【図１１】
2010092291.tif 000013
【図１２】
2010092291.tif 000014